(57)【要約】【課題】高圧ポンプの開弁制御時に発生する騒音を低減できるようにする。【解決手段】高圧ポンプ１４の調量弁２３を開弁させる場合には、電磁アクチュエータ２７のソレノイド３０への通電を停止して可動部２８を閉側位置から開側位置に移動させると共に調量弁２３を開弁させる開弁制御を実行する。この際、所定の音低減制御実行条件が成立したときには、ポンプ室１７内の燃圧が低下して調量弁２３が開弁するまでソレノイド３０への通電を継続して可動部２８を閉側位置に保持し、調量弁２３が開弁した後にソレノイドへ３０の通電を一旦停止して、可動部２８が開側位置に到達する前にソレノイド３０に一時的に再通電する。その際、再通電の通電開始タイミングと電流値を、可動部２８を開側位置へ付勢するスプリング２９の付勢力とソレノイド３０の電磁吸引力とに基づいて可動部２８が閉側位置の方向へ逆戻りしないように設定する。【選択図】図２
2015021428.tif 000002
【特許請求の範囲】
【請求項１】
燃料の吸入口（２１）と吐出口（３１）を有するポンプ室（１７）と、該ポンプ室（１７）内で往復運動するプランジャ（１８）と、前記吸入口（２１）側を開閉する調量弁（２３）と、該調量弁（２３）を開閉移動させる電磁アクチュエータ（２７）とを備えた高圧ポンプの制御装置において、
前記電磁アクチュエータ（２７）のソレノイド（３０）への通電を停止して該電磁アクチュエータ（２７）の可動部（２８）を閉側位置から開側位置に移動させると共に前記調量弁（２３）を開弁させる開弁制御を実行する開弁制御手段（４０）を備え、
前記開弁制御手段（４０）は、前記開弁制御の際に、前記ポンプ室（１７）内の燃料圧力が低下して前記調量弁（２３）が開弁するまで前記ソレノイド（３０）への通電を継続して前記可動部（２８）を前記閉側位置に保持し、前記調量弁（２３）が開弁した後に前記ソレノイド（３０）への通電を一旦停止して、前記可動部（２８）が前記開側位置に到達する前に前記ソレノイド（３０）に一時的に再通電すると共に、該再通電の通電開始タイミングと電流値を、前記可動部（２８）を前記開側位置へ付勢するスプリング（２９）の付勢力と前記ソレノイド（３０）の電磁吸引力とに基づいて前記可動部（２８）が前記閉側位置の方向へ逆戻りしないように設定することを特徴とする高圧ポンプの制御装置。
【請求項２】
前記開弁制御手段（４０）は、前記ソレノイド（３０）への通電を継続して前記可動部（２８）を前記閉側位置に保持するときの電流値に応じて、前記再通電の通電開始タイミングと電流値のうちの少なくとも一方を補正することを特徴とする請求項１に記載の高圧ポンプの制御装置。
【請求項３】
前記開弁制御手段（４０）は、前記再通電の通電終了タイミングを、前記可動部（２８）が前記調量弁（２３）に当たるタイミングから次回の前記ソレノイド（３０）の通電開始直前のタイミングまでの間に設定することを特徴とする請求項１又は２に記載の高圧ポンプの制御装置。
【請求項４】
前記開弁制御手段（４０）は、前記再通電を実施すると前記ソレノイド（３０）の合計通電時間が所定の最大通電時間を越える場合には前記再通電を禁止することを特徴とする請求項１乃至３のいずれかに記載の高圧ポンプの制御装置。
【発明の詳細な説明】
【技術分野】
【０００１】
本発明は、高圧ポンプの吸入口側を開閉するための電磁アクチュエータを備えた高圧ポンプの制御装置に関する発明である。
【背景技術】
【０００２】
気筒内に燃料を直接噴射する筒内噴射式エンジンは、吸気ポートに燃料を噴射する吸気ポート噴射式エンジンと比較して、噴射から燃焼までの時間が短く、噴射燃料を霧化させる時間を十分に稼ぐことができないため、噴射圧力を高圧にして噴射燃料を微粒化する必要がある。そのため、筒内噴射式エンジンでは、電動式の低圧ポンプで燃料タンクから汲み上げた燃料を、エンジンの動力で駆動される高圧ポンプに供給し、この高圧ポンプから吐出される高圧の燃料を燃料噴射弁へ圧送するようにしている。
【０００３】
このような高圧ポンプとしては、例えば、高圧ポンプの吸入口側を開閉する調量弁と、この調量弁を開閉移動させる電磁アクチュエータとを設け、この電磁アクチュエータの通電を制御して調量弁の閉弁期間を制御することで高圧ポンプの燃料吐出量を制御して燃圧（燃料圧力）を制御するようにしたものがある。
【０００４】
また、電磁弁で構成された燃料噴射弁の閉弁時に発生する騒音を低減する技術として、例えば、特許文献１（特開平４−１５３５４２号公報）に記載されているように、燃料噴射弁（電磁弁）の駆動コイルへの通電を停止して燃料噴射弁を閉弁する際に、駆動コイルへの通電停止後に駆動コイルに一時的に再通電することで、燃料噴射弁の閉弁速度を低下させるようにしたものがある。
【先行技術文献】
【特許文献】
【０００５】
【特許文献１】特開平４−１５３５４２号公報
【発明の概要】
【発明が解決しようとする課題】
【０００６】
前述した高圧ポンプにおいては、電磁アクチュエータのソレノイドへの通電を停止して電磁アクチュエータの可動部を開側位置に移動させると共に調量弁を開弁させる開弁制御の際に、可動部や調量弁がストッパ部等に衝突して振動が発生し、この振動によって不快な騒音が発生する可能性がある。
【０００７】
ところで、図４に示すように、高圧ポンプの開弁制御の際には、ソレノイドへの通電を停止しても、まだポンプ室内の燃圧が高いときには、可動部が調量弁に突き当たってもポンプ室内の燃圧で調量弁が閉弁状態に維持されるため、可動部が調量弁に突き当たった状態で止まる。その後、ポンプ室内の燃圧が低下すると、可動部が開側位置に移動すると共に調量弁が開弁する。
【０００８】
このため、上記特許文献１の技術を利用して、図６に示すように、高圧ポンプの開弁制御の際に、通常の開弁制御と同じタイミングでソレノイドへの通電を停止した後に、ソレノイドに一時的に再通電するようにしても、可動部が調量弁に突き当たって止まっているときに再通電する可能性があり、このような場合、その後、ポンプ室内の燃圧が低下して可動部が開側位置に移動する際の移動速度を低下させることができず、開弁制御時に発生する騒音を低減することが困難である。
【０００９】
そこで、本発明が解決しようとする課題は、高圧ポンプの開弁制御時に発生する騒音を低減することができる高圧ポンプの制御装置を提供することにある。
【課題を解決するための手段】
【００１０】
上記課題を解決するために、請求項１に係る発明は、燃料の吸入口（２１）と吐出口（３１）を有するポンプ室（１７）と、該ポンプ室（１７）内で往復運動するプランジャ（１８）と、吸入口（２１）側を開閉する調量弁（２３）と、該調量弁（２３）を開閉移動させる電磁アクチュエータ（２７）とを備えた高圧ポンプの制御装置において、電磁アクチュエータ（２７）のソレノイド（３０）への通電を停止して該電磁アクチュエータ（２７）の可動部（２８）を閉側位置から開側位置に移動させると共に調量弁（２３）を開弁させる開弁制御を実行する開弁制御手段（４０）を備え、この開弁制御手段（４０）は、開弁制御の際に、ポンプ室（１７）内の燃料圧力が低下して調量弁（２３）が開弁するまでソレノイド（３０）への通電を継続して可動部（２８）を閉側位置に保持し、調量弁（２３）が開弁した後にソレノイド（３０）への通電を一旦停止して、可動部（２８）が開側位置に到達する前にソレノイド（３０）に一時的に再通電すると共に、該再通電の通電開始タイミングと電流値を、可動部（２８）を開側位置へ付勢するスプリング（２９）の付勢力とソレノイド（３０）の電磁吸引力とに基づいて可動部（２８）が閉側位置の方向へ逆戻りしないように設定する構成としたものである。
【００１１】
この構成では、開弁制御の際に、ポンプ室内の燃料圧力が低下して調量弁が開弁するまでソレノイドへの通電を継続して可動部を閉側位置に保持し、調量弁が開弁した後にソレノイドへの通電を一旦停止することで、可動部が調量弁に突き当たって止まることなく開側位置へ向かって移動する。そして、可動部が開側位置に到達する前にソレノイドに一時的に再通電することで、ソレノイドの電磁吸引力を一時的に発生させて、この電磁吸引力により可動部が開側位置に移動する際の移動速度を低下させることができる。これにより、可動部が開側位置に到達する際に発生する振動を抑制することができ、開弁制御時に発生する騒音を低減することができる。
【００１２】
また、本発明では、可動部が開側位置に到達する前にソレノイドに一時的に再通電するようにしているが、図１４に示すように、ソレノイドの通電時に可動部に作用する電磁吸引力は、吸引ギャップ（ソレノイドと可動部との間の距離）が小さいほど電磁吸引力が大きくなり、また、電流値が大きいほど電磁吸引力が大きくなるという特性がある。このため、再通電の通電開始タイミングが早過ぎる（つまり吸引ギャップが小さ過ぎる）、或は、再通電の電流値が大き過ぎると、ソレノイドの電磁吸引力がスプリングの付勢力（バネ力）よりも大きくなって、可動部が閉側位置の方向へ逆戻りしてしまう可能性がある。
【００１３】
そこで、本発明は、再通電の通電開始タイミングと電流値を、スプリングの付勢力（バネ力）とソレノイドの電磁吸引力とに基づいて可動部が閉側位置の方向へ逆戻りしないように設定する。つまり、ソレノイドの電磁吸引力がスプリングの付勢力よりも小さくなるように再通電の通電開始タイミングと電流値を設定することで、可動部が逆戻りしないように再通電の通電開始タイミングと電流値を設定することができ、再通電時に可動部が逆戻りすることを防止することができる。
【図面の簡単な説明】
【００１４】
【図１】図１は本発明の一実施例における筒内噴射式エンジンの燃料供給システムの概略構成を示す図である。
【図２】図２は高圧ポンプの燃料吸入時の状態を示す概略構成図である。
【図３】図３は高圧ポンプの燃料吐出時の状態を示す概略構成図である。
【図４】図４は通常の開弁制御を説明する図である。
【図５】図５は音低減用の開弁制御を説明する図である。
【図６】図６は比較例の開弁制御を説明する図である。
【図７】図７は燃圧ピーク値と調量弁開弁期間との関係を説明する図である。
【図８】図８は燃圧ピーク値と調量弁開弁期間との関係を示す図である。
【図９】図９は燃料温度と体積弾性率との関係を示す図である。
【図１０】図１０は燃料温度と調量弁開弁期間との関係を示す図である。
【図１１】図１１はカムプロフィールの影響を説明する図である。
【図１２】図１２はカムリフト量の降下速度と調量弁開弁期間との関係を示す図である。
【図１３】図１３はフライバック制御を説明する図である。
【図１４】図１４はソレノイドの電磁吸引力とスプリングのバネ力との関係を示す図である。
【図１５】図１５は再通電時の可動部の挙動を説明する図である。
【図１６】図１６は保持電流値の影響を説明する図である。
【図１７】図１７は通電開始タイミング用補正値のマップの一例を概念的に示す図である。
【図１８】図１８は電流値用補正値のマップの一例を概念的に示す図である。
【図１９】図１９は再通電の通電終了タイミングを説明する図である。
【図２０】図２０は開弁制御ルーチンの処理の流れを示すフローチャートである。
【発明を実施するための形態】
【００１５】
以下、本発明を実施するための形態を具体化した一実施例を説明する。
図１に示すように、燃料を貯溜する燃料タンク１１内には、燃料を汲み上げる低圧ポンプ１２が設置されている。この低圧ポンプ１２は、バッテリ（図示せず）を電源とする電動モータ（図示せず）によって駆動される。この低圧ポンプ１２から吐出される燃料は、燃料配管１３を通して高圧ポンプ１４に供給される。燃料配管１３には、プレッシャレギュレータ１５が接続され、このプレッシャレギュレータ１５によって低圧ポンプ１２の吐出圧力（高圧ポンプ１４への燃料供給圧力）が所定圧力に調圧され、その圧力を越える燃料の余剰分が燃料戻し配管１６により燃料タンク１１内に戻されるようになっている。
【００１６】
図２及び図３に示すように、高圧ポンプ１４は、円筒状のポンプ室１７内でプランジャ１８を往復運動させて燃料を吸入／吐出するプランジャポンプであり、プランジャ１８は、エンジンのカム軸１９に嵌着されたカム２０の回転運動によって駆動される。この高圧ポンプ１４の吸入口２１側には、燃料通路２２を開閉する調量弁２３と、この調量弁２３を開閉移動させる電磁アクチュエータ２７が設けられている。
【００１７】
電磁アクチュエータ２７は、移動可能な可動部２８と、この可動部２８を開側位置（図２参照）へ付勢するスプリング２９と、可動部２８を閉側位置（図３参照）へ電磁駆動するソレノイド３０（コイル）等で構成されている。調量弁２３は、電磁アクチュエータ２７の可動部２８により開弁方向に押圧される押圧部２４と、燃料通路２２を開閉する弁体２５と、この弁体２５を閉弁方向に付勢するスプリング２６等で構成されている。また、高圧ポンプ１４の吐出口３１側には、吐出した燃料の逆流を防止する逆止弁３２が設けられている。
【００１８】
図２に示すように、電磁アクチュエータ２７の非通電時（ソレノイド３０への通電のオフ時）には、電磁アクチュエータ２７のスプリング２９の付勢力により可動部２８が開側位置へ移動するため、可動部２８により調量弁２３の押圧部２４が押圧されて弁体２５が開弁方向に移動して開弁し、燃料通路２２が開放される。
【００１９】
一方、図３に示すように、電磁アクチュエータ２７の通電時（ソレノイド３０への通電のオン時）には、電磁アクチュエータ２７のソレノイド３０の電磁吸引力により可動部２８が閉側位置へ移動するため、調量弁２３のスプリング２６の付勢力により弁体２５が閉弁方向に移動して閉弁し、燃料通路２２が閉鎖される。
【００２０】
図２に示すように、高圧ポンプ１４の吸入行程（プランジャ１８の下降時）において調量弁２３の弁体２５が開弁してポンプ室１７内に燃料が吸入され、図３に示すように、高圧ポンプ１４の吐出行程（プランジャ１８の上昇時）において調量弁２３の弁体２５が閉弁してポンプ室１７内の燃料が吐出されるように電磁アクチュエータ２７（ソレノイド３０）の通電を制御する。
【００２１】
その際、電磁アクチュエータ２７（ソレノイド３０）の通電開始時期を制御して調量弁２３の閉弁期間を制御することで、高圧ポンプ１４の燃料吐出量を制御して燃圧（燃料圧力）を制御する。例えば、燃圧を上昇させるときには、電磁アクチュエータ２７の通電開始時期を進角させて調量弁２３の閉弁開始時期を進角させることで、調量弁２３の閉弁期間を長くして高圧ポンプ１４の吐出流量を増加させる。逆に、燃圧を低下させるときには、電磁アクチュエータ２７の通電開始時期を遅角させて調量弁２３の閉弁開始時期を遅角させることで、調量弁２３の閉弁期間を短くして高圧ポンプ１４の吐出流量を減少させる。
【００２２】
図１に示すように、高圧ポンプ１４から吐出された燃料は、高圧燃料配管３３を通してデリバリパイプ３４に送られ、このデリバリパイプ３４からエンジンの各気筒に取り付けられた燃料噴射弁３５に高圧の燃料が分配される。デリバリパイプ３４（又は高圧燃料配管３３）には、高圧燃料配管３３やデリバリパイプ３４等の高圧燃料通路内の燃圧を検出する燃圧センサ３６が設けられている。
【００２３】
また、エンジンには、吸入空気量を検出するエアフローメータ３７や、クランク軸（図示せず）の回転に同期して所定のクランク角毎にパルス信号を出力するクランク角センサ３８が設けられている。このクランク角センサ３８の出力信号に基づいてクランク角やエンジン回転速度が検出される。更に、エンジンのシリンダブロックには、冷却水温（冷却水の温度）を検出する冷却水温センサ３９が設けられている。
【００２４】
これら各種センサの出力は、電子制御ユニット（以下「ＥＣＵ」と表記する）４０に入力される。このＥＣＵ４０は、マイクロコンピュータを主体として構成され、内蔵されたＲＯＭ（記憶媒体）に記憶された各種のエンジン制御用のプログラムを実行することで、エンジン運転状態に応じて、燃料噴射量、点火時期、スロットル開度（吸入空気量）等を制御する。
【００２５】
また、ＥＣＵ４０は、図４に示すように、高圧ポンプ１４の調量弁２３を閉弁させる閉弁制御の際には、電磁アクチュエータ２７のソレノイド３０に通電して電磁アクチュエータ２７の可動部２８を開側位置から閉側位置に移動させることで調量弁２３を閉弁させる。その後、高圧ポンプ１４の調量弁２３を開弁させる開弁制御の際には、電磁アクチュエータ２７のソレノイド３０への通電を停止して電磁アクチュエータ２７の可動部２８を閉側位置から開側位置に移動させて調量弁２３を開弁させる。
【００２６】
しかし、高圧ポンプ１４の開弁制御時には、可動部２８や調量弁２３がストッパ部４１等に衝突して振動が発生し、この振動によって不快な騒音が発生する可能性があり、例えば、低速走行中や停車中は、開弁制御時に発生する騒音が運転者に聞こえ易くなる。
【００２７】
ところで、図４に示すように、高圧ポンプ１４の開弁制御の際には、ソレノイド３０への通電を停止しても、まだポンプ室１７内の燃圧が高いときには、可動部２８が調量弁２３（押圧部２４）に突き当たってもポンプ室１７内の燃圧で調量弁２３が閉弁状態に維持されるため、可動部２８が調量弁２３（押圧部２４）に突き当たった状態で止まる。その後、ポンプ室１７内の燃圧が低下すると、可動部２８が開側位置に移動すると共に調量弁２３が開弁する。
【００２８】
このため、従来技術を利用して、図６に示す比較例のように、高圧ポンプ１４の開弁制御の際に、通常の開弁制御と同じタイミングでソレノイド３０への通電を停止した後に、ソレノイド３０に一時的に再通電するようにしても、可動部２８が調量弁２３（押圧部２４）に突き当たって止まっているときに再通電する可能性があり、このような場合、その後、ポンプ室１７内の燃圧が低下して可動部２８が開側位置に移動する際の移動速度を低下させることができず、開弁制御時に発生する騒音を低減することが困難である。
【００２９】
そこで、本実施例では、ＥＣＵ４０により後述する図２０の開弁制御ルーチンを実行することで、開弁制御の際（つまり電磁アクチュエータ２７のソレノイド３０への通電を停止して可動部２８を閉側位置から開側位置に移動させると共に調量弁２３を開弁させる際）に、所定の音低減制御実行条件が成立したときには、開弁制御時に発生する騒音が運転者に聞こえ易い状態であると判断して、開弁制御時に発生する騒音を低減するために、図５に示すように、音低減用の開弁制御を実行する。この音低減用の開弁制御では、ポンプ室１７内の燃圧が低下して調量弁２３が開弁するまでソレノイド３０への通電を継続して可動部２８を閉側位置に保持し、調量弁２３が開弁した後にソレノイドへ３０の通電を一旦停止する。これにより、可動部２８が調量弁２３に突き当たって止まることなく開側位置へ向かって移動する。そして、可動部２８が開側位置に到達する前にソレノイド３０に一時的に再通電する。これにより、ソレノイド３０の電磁吸引力を一時的に発生させて、この電磁吸引力により可動部２８が開側位置に移動する際の移動速度を低下させる。
【００３０】
この音低減用の開弁制御では、ポンプ室１７内の燃圧が所定値（調量弁２３が開弁する燃圧）以下に低下して調量弁２３が開弁するまでソレノイド３０への通電を継続して可動部２８を閉側位置に保持する必要がある。
【００３１】
ここで、カムリフト量Ｌ（プランジャ１８のリフト量）とポンプ室１７内の燃圧Ｐとの関係は、ポンプ室１７の容積Ｖと、燃料の体積弾性率Ｅと、プランジャ１８の面積Ｓとを用いて、下記（１）式で表すことができる。
Ｌ＝Ｐ×Ｖ／（Ｅ×Ｓ）  …（１）
【００３２】
上記（１）式より、ポンプ室１７内の燃圧Ｐが高くなるほど、その燃圧Ｐを所定値以下に低下させるのに必要なカムリフト量Ｌの降下分が大きくなるため、燃圧Ｐが所定値以下に低下するまでの期間が長くなる。
【００３３】
このため、図７に示すように、ポンプ室１７内の燃圧ピーク値が高くなるほど、燃圧が所定値（調量弁２３が開弁する燃圧）以下に低下するまでの期間が長くなって、調量弁開弁期間（燃圧が低下し始めてから調量弁２３が開弁するまでの期間）が長くなる。つまり、図８に示すように、ポンプ室１７内の燃圧ピーク値が高くなるほど、調量弁開弁期間が長くなるという特性がある。
【００３４】
そこで、本実施例では、音低減用の開弁制御の際に、ポンプ室１７内の燃圧ピーク値に応じて、可動部２８を閉側位置に保持する期間を変更する。具体的には、ポンプ室１７内の燃圧ピーク値が高くなるほど、通電延長期間（通常の開弁制御の通電停止タイミングに対してソレノイド３０への通電を延長する期間）を長くして、可動部２８を閉側位置に保持する期間を長くする。このようにすれば、ポンプ室１７内の燃圧ピーク値に応じて、調量弁開弁期間が変化するのに対応して、可動部２８を閉側位置に保持する期間を変更することができる。これにより、燃圧ピーク値の変化によって調量弁開弁期間が変化しても、調量弁２３が開弁するまで確実に可動部２８を閉側位置に保持するようにできる。
【００３５】
また、図９に示すように、燃料温度が高くなるほど、燃料の体積弾性率が小さくなる。更に、上記（１）式より、燃料の体積弾性率Ｅが小さくなるほど、燃圧Ｐを所定値以下に低下させるのに必要なカムリフト量Ｌの降下分が大きくなるため、燃圧Ｐが所定値以下に低下するまでの期間が長くなる（つまり調量弁開弁期間が長くなる）。このため、図１０に示すように、燃料温度が高くなるほど、調量弁開弁期間が長くなるという特性がある。
【００３６】
そこで、本実施例では、音低減用の開弁制御の際に、燃料温度に応じて、可動部２８を閉側位置に保持する期間を変更する。具体的には、燃料温度が高くなるほど、通電延長期間を長くして、可動部２８を閉側位置に保持する期間を長くする。このようにすれば、燃料温度に応じて、調量弁開弁期間が変化するのに対応して、可動部２８を閉側位置に保持する期間を変更することができる。これにより、燃料温度の変化によって調量弁開弁期間が変化しても、調量弁２３が開弁するまで確実に可動部２８を閉側位置に保持するようにできる。尚、燃料温度は温度センサで検出するようにしても良いが、燃料温度の代用情報として、冷却水温や油温等を用いるようにしても良い。或は、冷却水温や油温等に基づいて燃料温度を推定するようにしても良い。
【００３７】
また、図１１に示すように、カムプロフィール（カム２０の形状）の違いによって、カムリフト量の降下速度が異なってくる。更に、図１２に示すように、カムリフト量の降下速度が速くなるほど、調量弁開弁期間が短くなる。つまり、カムプロフィールに応じて、調量弁開弁期間が変化する。
【００３８】
そこで、本実施例では、カムプロフィールに応じて、可動部２８を閉側位置に保持する期間を変更する。具体的には、カムプロフィールの違いによってカムリフト量の降下速度が速くなるほど、通電延長期間を短くして、可動部２８を閉側位置に保持する期間を短くする。このようにすれば、カムプロフィールに応じて、調量弁開弁期間が変化するのに対応して、可動部２８を閉側位置に保持する期間を変更することができる。これにより、カムプロフィールの違いによって調量弁開弁期間が変化しても、調量弁２３が開弁するまで確実に可動部２８を閉側位置に保持するようにできる。
【００３９】
また、「通電延長期間」を「時間」で設定する場合、カム２０の回転速度に応じて、調量弁開弁期間（時間）が変化するため、カム２０の回転速度に応じて、通電延長期間（時間）を変更して、可動部２８を閉側位置に保持する期間（時間）を変更する。このようにすれば、カム２０の回転速度に応じて、調量弁開弁期間（時間）が変化するのに対応して、可動部２８を閉側位置に保持する期間（時間）を変更することができる。これにより、カム２０の回転速度の変化によって調量弁開弁期間（時間）が変化しても、調量弁２３が開弁するまで確実に可動部２８を閉側位置に保持するようにできる。
尚、「通電延長期間」を「カム角又はクランク角」で設定する場合には、カム２０の回転速度の影響を受けないため、カム２０の回転速度に応じた変更を行う必要がない。
【００４０】
また、本実施例では、音低減用の開弁制御の際に、調量弁２３が開弁した後にソレノイド３０への通電を一旦停止するようにしているが、図１３（ｂ）に示すように、後述するフライバック制御を実行しない場合には、ソレノイド３０への通電を一旦停止したときに、逆起電力によりソレノイド３０に流れる電流がゆっくりと低下する。このため、ソレノイド３０への通電停止後もソレノイド３０の電磁吸引力が発生し、その影響を受けて可動部２８が開側位置に移動する際の挙動がばらついて、再通電するタイミングを設定するのが困難になる。
【００４１】
そこで、本実施例では、図１３（ａ）に示すように、ソレノイド３０への通電を一旦停止したときに逆起電力によりソレノイド３０に流れる電流をフライバック回路（図示せず）により取り去るフライバック制御を実行する。このようにすれば、ソレノイド３０への通電停止後にソレノイド３０の電磁吸引力がほとんど発生せず、可動部２８が開側位置に移動する際の挙動が安定するため、再通電するタイミングを容易に設定することができる。
【００４２】
また、本実施例では、音低減用の開弁制御の際に、可動部２８が開側位置に到達する前にソレノイド３０に一時的に再通電するようにしているが、図１４に示すように、ソレノイド３０の通電時に可動部２８に作用する電磁吸引力は、吸引ギャップ（ソレノイド３０と可動部２８との間の距離）が小さいほど電磁吸引力が大きくなり、また、電流値が大きいほど電磁吸引力が大きくなるという特性がある。このため、再通電の通電開始タイミングが早過ぎる（つまり吸引ギャップが小さ過ぎる）、或は、再通電の電流値が大き過ぎると、ソレノイド３０の電磁吸引力がスプリング２９のバネ力（付勢力）よりも大きくなって、図１５（ｂ）に示すように、可動部２８が閉側位置の方向へ逆戻りしてしまう可能性がある。
【００４３】
そこで、本実施例では、再通電の通電開始タイミングと電流値を、スプリング２９のバネ力とソレノイド３０の電磁吸引力とに基づいて可動部２８が閉側位置の方向へ逆戻りしないように設定する。
【００４４】
具体的には、図１４示すように、ソレノイド３０の電磁吸引力がスプリング２９のバネ力よりも小さくなる範囲内で吸引ギャップと電流値を選択し、その吸引ギャップに相当するタイミングを通電開始タイミングとする。
【００４５】
例えば、吸引ギャップ＝０．２ｍｍに相当するタイミングを通電開始タイミングに設定する場合には電流値を４Ａ以下の値（一定値）に設定する。或は、吸引ギャップ＝０．１ｍｍに相当するタイミングを通電開始タイミングに設定する場合には電流値を３Ａ以下の値（一定値）に設定する。また、電流値を変化させるようにしても良く、例えば、吸引ギャップ＝０．１ｍｍに相当するタイミングを通電開始タイミングに設定して、この通電開始タイミング（吸引ギャップ＝０．１ｍｍに相当するタイミング）では電流値を２Ａに設定し、その後、吸引ギャップ＝０．２ｍｍに相当するタイミングで電流値が３Ａとなり、吸引ギャップ＝０．３ｍｍに相当するタイミングで電流値が４Ａとなるように電流値を変化させるようにしても良い。
【００４６】
以上のようにして、ソレノイド３０の電磁吸引力がスプリング２９のバネ力よりも小さくなるように再通電の通電開始タイミングと電流値を設定することで、可動部２８が逆戻りしないように再通電の通電開始タイミングと電流値を設定することができ、図１５（ａ）に示すように、再通電時に可動部が逆戻りすることを防止することができる。尚、本実施例では、予め試験データや設計データ等を用いて、可動部２８が逆戻りしないように再通電の通電開始タイミングと電流値を設定しておき、これらの通電開始タイミングと電流値がＥＣＵ４０のＲＯＭに記憶されている。
【００４７】
また、本実施例では、再通電の前にソレノイド３０への通電を継続して可動部２８を閉側位置に保持するようにしているが、可動部２８を閉側位置に保持するときの電流値（以下「保持電流値」という）を運転条件（例えば燃圧や燃料温度等）に応じて変化させる場合もある。しかし、図１６に示すように、保持電流値を変えると、通電を一旦停止したときに可動部２８が開側位置に移動する際の挙動が変わるため、再通電時に可動部２８が逆戻りすることを防止するのに適した通電開始タイミングや電流値も変わる。このため、例えば、保持電流値が高い場合に、再通電の通電開始タイミングと電流値を保持電流値が低い場合と同じ値に設定すると、可動部２８が逆戻りしてしまう可能性がある。
【００４８】
そこで、本実施例では、保持電流値（ソレノイド３０への通電を継続して可動部２８を閉側位置に保持するときの電流値）に応じて、再通電の通電開始タイミング又は電流値を補正する。
【００４９】
具体的には、図１７に示す通電開始タイミング用補正値のマップを参照して、保持電流値に応じた通電開始タイミング用補正値を算出する。この通電開始タイミング用補正値のマップは、保持電流値が高くなるほど通電開始タイミング用補正値が大きくなって、通電開始タイミングを遅くするように設定されている。通電開始タイミング用補正値のマップは、予め試験データや設計データ等に基づいて作成され、ＥＣＵ４０のＲＯＭに記憶されている。この通電開始タイミング用補正値を用いて通電開始タイミングを補正することで、保持電流値に応じて通電開始タイミングを補正する。これにより、保持電流値に応じて、再通電時に可動部２８が逆戻りすることを防止するのに適した通電開始タイミングが変化するのに対応して、再通電の通電開始タイミングを変化させて、再通電の通電開始タイミングを適正値に設定することができる。
【００５０】
或は、図１８に示す電流値用補正値のマップを参照して、保持電流値に応じた電流値用補正値を算出する。この電流値用補正値のマップは、保持電流値が高くなるほど電流値用補正値が小さくなって、電流値を低くするように設定されている。電流値用補正値のマップは、予め試験データや設計データ等に基づいて作成され、ＥＣＵ４０のＲＯＭに記憶されている。この電流値用補正値を用いて電流値を補正することで、保持電流値に応じて電流値を補正する。これにより、保持電流値に応じて、再通電時に可動部２８が逆戻りすることを防止するのに適した電流値が変化するのに対応して、再通電の電流値を変化させて、再通電の電流値を適正値に設定することができる。尚、保持電流値に応じて、再通電の通電開始タイミングと電流値を両方とも補正するようにしても良い。
【００５１】
また、本実施例では、図１９に示すように、再通電の通電終了タイミングを、可動部２８が調量弁２３に当たるタイミングｔ2 から次回のソレノイド３０の通電開始直前のタイミングｔ3 までの間に設定する。つまり、再通電の通電期間は、通電開始タイミングｔ1 から通電終了タイミングｔ2 （可動部２８が調量弁２３に当たるタイミング）までの期間が最短期間となり、通電開始タイミングｔ1 から通電終了タイミングｔ3 （次回のソレノイド３０の通電開始直前のタイミング）までの期間が最長期間となる。この場合、通電終了タイミングは、可動部２８が閉側位置に到達するタイミングｔa が最適（ベスト）な適合タイミングであるが、可動部２８が閉側位置に到達するタイミングから少し遅れたタイミングｔb （＝ｔa ＋α）が通常の適合タイミングとなる。この再通電の通電終了タイミングは、予め試験データや設計データ等に基づいて設定され、ＥＣＵ４０のＲＯＭに記憶されている。
【００５２】
また、本実施例では、再通電を実施するとソレノイド３０の合計通電時間が所定の最大通電時間を越える場合には再通電を禁止する。具体的には、図１９に示すように、ソレノイド３０の通常通電時間Ｔa と再通電時間Ｔb （再通電の通電開始タイミングから通電終了タイミングまでの時間）とを合計した合計通電時間（Ｔa ＋Ｔb ）を算出し、この合計通電時間（Ｔa ＋Ｔb ）が最大通電時間Ｔmax よりも大きい場合には、再通電を禁止する。ここで、最大通電時間Ｔmax は、例えば、ソレノイド３０の過熱を防止できる合計通電時間の最大値又はそれよりも少し小さい値に設定されている。
【００５３】
以上説明した本実施例の高圧ポンプ１４の開弁制御は、ＥＣＵ４０によって図２０の開弁制御ルーチンに従って実行される。以下、このルーチンの処理内容を説明する。
図２０に示す開弁制御ルーチンは、ＥＣＵ４０の電源オン期間中（イグニッションスイッチのオン期間中）に所定周期で繰り返し実行され、特許請求の範囲でいう開弁制御手段としての役割を果たす。本ルーチンが起動されると、まず、ステップ１０１で、所定の音低減制御実行条件が成立しているか否かを、例えば、次の(1) 〜(5) の条件を全て満たすか否かによって判定する。
【００５４】
(1) バッテリ電圧が安定状態（バッテリ電圧＞所定値）であること
(2) 低速走行中又は停車中（車速≦所定値）であること
(3) アクセルオフ（アクセル開度＝０）であること
(4) エンジン回転速度が安定状態（｜目標回転速度−エンジン回転速度｜≦所定値）であること
(5) 燃圧が安定状態（｜目標燃圧−燃圧｜≦所定値）であること
【００５５】
ここで、上記(2) と(3) の条件は、開弁制御時に発生する騒音が運転者に聞こえ易い状態であるか否かを判断するための条件である。
上記(1) 〜(5) の条件を全て満たせば、音低減制御実行条件が成立するが、上記(1) 〜(5) の条件のうちのいずれか１つでも満たさない条件があれば、音低減制御実行条件が不成立となる。
【００５６】
このステップ１０１で、音低減制御実行条件が不成立と判定された場合には、ステップ１０２に進み、通常の開弁制御（図４参照）を実行する。この通常の開弁制御では、ポンプ室１７内の燃圧が高くなったときに電磁アクチュエータ２７のソレノイド３０への通電を停止する。この場合、ポンプ室１７内の燃圧で調量弁２３が閉弁状態に維持されるため、可動部２８が調量弁２３（押圧部２４）に突き当たった状態で止まるが、その後、ポンプ室１７内の燃圧が低下すると、可動部２８が開側位置に移動すると共に調量弁２３が開弁する。
【００５７】
一方、上記ステップ１０１で、音低減制御実行条件が成立していると判定された場合には、開弁制御時に発生する騒音が運転者に聞こえ易い状態であると判断して、音低減用の開弁制御を次のようにして実行する。まず、ステップ１０３で、通常の開弁制御の通電停止タイミングに対してソレノイド３０への通電を延長する期間である「通電延長期間（図５参照）」を「カム角又はクランク角」で設定する。
【００５８】
この場合、まず、ポンプ室１７内の燃圧ピーク値に応じた通電延長期間をマップ又は数式等により算出する。これにより、ポンプ室１７内の燃圧ピーク値が高くなるほど、通電延長期間を長くして、可動部２８を閉側位置に保持する期間を長くする。通電延長期間のマップ又は数式等は、予め試験データや設計データ等に基づいて作成され、ＥＣＵ４０のＲＯＭに記憶されている。
【００５９】
また、燃料温度に応じた補正値をマップ又は数式等により算出し、この補正値を用いて通電延長期間を補正する。これにより、燃料温度が高くなるほど、通電延長期間を長くして、可動部２８を閉側位置に保持する期間を長くする。更に、カムプロフィールに応じた補正値をマップ又は数式等により算出し、この補正値を用いて通電延長期間を補正するようにしても良い。これにより、カムプロフィールの違いによってカムリフト量の降下速度が速くなるほど、通電延長期間を短くして、可動部２８を閉側位置に保持する期間を短くする。通電延長期間の補正値のマップ又は数式等は、予め試験データや設計データ等に基づいて作成され、ＥＣＵ４０のＲＯＭに記憶されている。
【００６０】
尚、「通電延長期間」を「時間」で設定する場合には、カム２０の回転速度に応じて、調量弁開弁期間（時間）が変化するため、カム２０の回転速度に応じて、通電延長期間（時間）を変更して、可動部２８を閉側位置に保持する期間（時間）を変更する。
【００６１】
この後、ステップ１０４に進み、再通電の通電開始タイミングと電流値を設定する。この場合、まず、ＥＣＵ４０のＲＯＭに記憶されている再通電の通電開始タイミングと電流値を読み込む。この再通電の通電開始タイミングと電流値は、スプリング２９のバネ力とソレノイド３０の電磁吸引力とに基づいて可動部２８が閉側位置の方向へ逆戻りしないように設定されている。この後、図１７に示す通電開始タイミング用補正値のマップを参照して、保持電流値に応じた通電開始タイミング用補正値を算出し、この通電開始タイミング用補正値を用いて通電開始タイミングを補正することで、保持電流値に応じて通電開始タイミングを補正する。或は、図１８に示す電流値用補正値のマップを参照して、保持電流値に応じた電流値用補正値を算出し、この電流値用補正値を用いて電流値を補正することで、保持電流値に応じて電流値を補正する。尚、保持電流値に応じて、再通電の通電開始タイミングと電流値を両方とも補正するようにしても良い。
【００６２】
この後、ステップ１０５に進み、再通電の通電終了タイミングを、可動部２８が調量弁２３に当たるタイミングｔ2 から次回のソレノイド３０の通電開始直前のタイミングｔ3 までの間に設定する。この場合、ＥＣＵ４０のＲＯＭに記憶されている通常の適合タイミング（可動部２８が閉側位置に到達するタイミングから少し遅れたタイミング）を読み込み、この通常の適合タイミングを再通電の通電終了タイミングとして設定する。
【００６３】
この後、ステップ１０６に進み、上記ステップ１０３で設定した通電延長期間が終了するまでソレノイド３０への通電を継続することで、ポンプ室１７内の燃圧が低下して調量弁２３が開弁するまでソレノイド３０への通電を継続して可動部２８を閉側位置に保持する。
【００６４】
この後、ステップ１０７に進み、上記ステップ１０３で設定した通電延長期間が終了した時点で、ソレノイドへ３０の通電を一旦停止すると共に、ソレノイド３０に流れる電流をフライバック回路により取り去るフライバック制御を実行する。
【００６５】
この後、ステップ１０８に進み、ソレノイド３０の通常通電時間Ｔa と再通電時間Ｔb （再通電の通電開始タイミングから通電終了タイミングまでの時間）とを合計した合計通電時間（Ｔa ＋Ｔb ）が最大通電時間Ｔmax 以下であるか否かを判定する。
【００６６】
このステップ１０８で、合計通電時間（Ｔa ＋Ｔb ）が最大通電時間Ｔmax 以下であると判定された場合には、ステップ１０９に進み、ソレノイド３０の再通電を実施する。この場合、上記ステップ１０４で設定した再通電の通電開始タイミングになった時点で、上記ステップ１０４で設定した再通電の電流値でソレノイド３０の再通電を開始し、上記ステップ１０５で設定した再通電の通電終了タイミングになった時点で、ソレノイド３０の再通電を終了する。
【００６７】
一方、上記ステップ１０８で、合計通電時間（Ｔa ＋Ｔb ）が最大通電時間Ｔmax よりも大きいと判定された場合には、ソレノイド３０の再通電を禁止して、上記ステップ１０９の処理を実行することなく、本ルーチンを終了する。
【００６８】
以上説明した本実施例では、開弁制御の際（つまり電磁アクチュエータ２７のソレノイド３０への通電を停止して可動部２８を閉側位置から開側位置に移動させると共に調量弁２３を開弁させる際）に、所定の音低減制御実行条件が成立したときには、開弁制御時に発生する騒音が運転者に聞こえ易い状態であると判断して、音低減用の開弁制御を実行する。この音低減用の開弁制御では、ポンプ室１７内の燃圧が低下して調量弁２３が開弁するまでソレノイド３０への通電を継続して可動部２８を閉側位置に保持し、調量弁２３が開弁した後にソレノイドへ３０の通電を一旦停止する。これにより、可動部２８が調量弁２３に突き当たって止まることなく開側位置へ向かって移動する。そして、可動部２８が開側位置に到達する前にソレノイド３０に一時的に再通電する。これにより、ソレノイド３０の電磁吸引力を一時的に発生させて、この電磁吸引力により可動部２８が開側位置に移動する際の移動速度を低下させることができる。これにより、可動部２８が開側位置に到達する際に発生する振動を抑制することができ、開弁制御時に発生する騒音を低減することができる。
【００６９】
ところで、再通電の通電開始タイミングが早過ぎる（つまり吸引ギャップが小さ過ぎる）、或は、再通電の電流値が大き過ぎると、ソレノイド３０の電磁吸引力がスプリング２９のバネ力よりも大きくなって、可動部２８が閉側位置の方向へ逆戻りしてしまう可能性がある。
【００７０】
このような事情を考慮して、本実施例では、ソレノイド３０の電磁吸引力がスプリング２９のバネ力よりも小さくなるように再通電の通電開始タイミングと電流値を設定することで、可動部２８が逆戻りしないように再通電の通電開始タイミングと電流値を設定するため、再通電時に可動部２８が逆戻りすることを防止することができる。
【００７１】
更に、本実施例では、保持電流値（ソレノイド３０への通電を継続して可動部２８を閉側位置に保持するときの電流値）に応じて、再通電の通電開始タイミングや電流値を補正するようにしている。このようにすれば、保持電流値に応じて、再通電時に可動部２８が逆戻りすることを防止するのに適した通電開始タイミングや電流値が変化するのに対応して、再通電の通電開始タイミングや電流値を変化させて、再通電の通電開始タイミングや電流値を適正値に設定することができる。これにより、運転条件（例えば燃圧や燃料温度等）に応じて保持電流値を変える場合でも、再通電時に可動部２８が逆戻りすることを確実に防止することができる。
【００７２】
また、本実施例では、再通電の通電終了タイミングを、可動部２８が調量弁２３に当たるタイミングから次回のソレノイド３０の通電開始直前のタイミングまでの間に設定するようにしている。このようにすれば、少なくとも可動部２８が調量弁２３に当たるまでは再通電を継続して可動部２８の移動速度を低下させることができると共に、次回のソレノイド３０の通電に悪影響を及ぼすことも防止できる。
【００７３】
更に、本実施例では、再通電を実施するとソレノイド３０の合計通電時間が所定の最大通電時間を越える場合には再通電を禁止するようにしている。このようにすれば、ソレノイド３０の合計通電時間が最大通電時間を越えてしまうことを防止することができ、ソレノイド３０の過熱を未然に防止することができる。
【００７４】
尚、上記実施例では、再通電の通電開始タイミングと電流値と通電終了タイミングを予めＥＣＵ４０のＲＯＭに記憶しておくようにしたが、これに限定されず、例えば、高圧ポンプ１４の制御中にＥＣＵ４０で再通電の通電開始タイミングと電流値と通電終了タイミングのうちの少なくとも一つを算出するようにしても良い。
【００７５】
また、上記実施例では、ポンプ室１７内の燃圧ピーク値や燃料温度等に応じて、可動部２８を閉側位置に保持する期間を変更するようにしたが、これに限定されず、可動部２８を閉側位置に保持する期間を予め設定した所定期間（調量弁開弁期間の最大値以上の期間）で固定するようにしても良い。
【００７６】
その他、本発明は、高圧ポンプの構成や燃料供給システムの構成を適宜変更しても良い等、要旨を逸脱しない範囲内で種々変更して実施できる。
【符号の説明】
【００７７】
１４…高圧ポンプ、１７…ポンプ室、１８…プランジャ、２０…カム、２１…吸入口、２３…調量弁、２７…電磁アクチュエータ、２８…可動部、３０…ソレノイド、３１…吐出口、４０…ＥＣＵ（開弁制御手段）
【図１】
2015021428.tif 000003
【図２】
2015021428.tif 000004
【図３】
2015021428.tif 000005
【図４】
2015021428.tif 000006
【図５】
2015021428.tif 000007
【図６】
2015021428.tif 000008
【図７】
2015021428.tif 000009
【図８】
2015021428.tif 000010
【図９】
2015021428.tif 000011
【図１０】
2015021428.tif 000012
【図１１】
2015021428.tif 000013
【図１２】
2015021428.tif 000014
【図１３】
2015021428.tif 000015
【図１４】
2015021428.tif 000016
【図１５】
2015021428.tif 000017
【図１６】
2015021428.tif 000018
【図１７】
2015021428.tif 000019
【図１８】
2015021428.tif 000020
【図１９】
2015021428.tif 000021
【図２０】
2015021428.tif 000022